(57)【要約】【課題】ローカル調整用ビスのがたつきが防止されるとともに、ローカル調整用ビスを用いて周波数を調整するときに生じるトルクを制御することができるローカル周波数調整機能を備えたコンバータを提供する。【解決手段】筐体１とビス３との間には板バネ２００が挿入されている。板バネ２００は、断面がＬ字型であり、一方端の近傍部分が小ネジ１００によって筐体１に固定されている。板バネ２００は、雄ネジ部３ｘの一方の側面を押している。それにより、雄ネジ部３ｘの他方の側面が雌ネジ部１ｘに押し付けられている。【選択図】図１
2008060972.tif 000002
【特許請求の範囲】
【請求項１】
基板と、
前記基板上に設置された共振体と、
前記基板に取り付けられ、前記基板とともに前記共振体を遮蔽する筐体と、
その雄ネジ部が前記筐体の雌ネジ部に螺合した状態で、前記筐体を幅方向に貫通し、その先端と前記共振体との間の距離の調節が可能なローカル調整用ビスと、
前記筐体と前記ローカル調整用ビスとの間に挿入され、前記雄ネジ部を前記雌ネジ部に押し付ける弾性体とを備えた、ローカル周波数調整機能を備えたコンバータ。
【請求項２】
前記弾性体は、前記雄ネジ部の一方側の側面を押すことによって前記雄ネジ部の他方側の側面を前記雌ネジ部に押し付ける、請求項１に記載のローカル周波数調整機能を備えたコンバータ。
【請求項３】
前記弾性体は、前記雄ネジ部の一方側の側面の複数の個所を押すことによって前記雄ネジ部の他方側の側面を前記雌ネジ部に押し付ける、請求項１に記載のローカル周波数調整機能を備えたコンバータ。
【請求項４】
前記弾性体は、線状のバネまたは板状のバネである、請求項１に記載のローカル周波数調整機能を備えたコンバータ。
【請求項５】
前記弾性体は、渦巻き状のバネまたはカム状のバネである、請求項１に記載のローカル周波数調整機能を備えたコンバータ。
【請求項６】
前記弾性体は、外側に突起部を有する異型Ｏリングまたは異型パッキンである、請求項１に記載のローカル周波数調整機能を備えたコンバータ。
【請求項７】
前記異型Ｏリングまたは異型パッキンは、導電性材料を含む、請求項６に記載のローカル周波数調整機能を備えたコンバータ。
【発明の詳細な説明】
【技術分野】
【０００１】
本発明は、たとば、ローカル調整機構を有した衛星放送用コンバータ（Low Noise Block Down Converter：以下「ＬＮＢ」という。）等のローカル周波数調整機能を備えたコンバータに関するものである。
【背景技術】
【０００２】
まず、図１８を参照して、従来のローカル周波数調整機能を備えたコンバータの一例のＬＮＢを説明する。図１８は、従来のＬＮＢのローカル調整用ビスの周辺の構造の断面図である。
【０００３】
図１８に示すように、ＬＮＢは、一般に、回路基板６上に、パラボラアンテナ等に電気的に接続された共振体２が固定されている。また、回路基板６上にはシャーシまたはフレーム（以下、「筐体」という。）１が取り付けられている。共振体２は、筐体１によって覆われ、外部空間から遮断されている。また、筐体１には、それを幅方向に貫通する雌ネジ部１ｘが設けられている。雌ネジ部１ｘには、ローカル調整用ビス（以下、「ビス」という。）３の雄ネジ部３ｘが螺合している。このビス３と共振体２との距離の調節によって、共振体２におけるローカル周波数の調整が行なわれる。
【０００４】
前述のビス３の雄ネジ部３ｘと筐体１の雌ネジ部１ｘとの接触の状態によっては、ビス３と筐体１との間に隙間が形成されてしまう。その結果、ビス３がぐらついてしまう。しかしながら、ローカル周波数の調整は、非常に高い精度が要求されるため、ビス３と筐体１との間の隙間の形成を完全に防止する必要がある。そこで、従来においては、図１８に示すように、ビス３の雄ネジ部３ｘの一部に固定用の樹脂部材７が設けられている。この樹脂部材７が前述のがたつきを防止している。また、樹脂部材７によって、ローカル周波数を調整するときに適正なトルクがビス３にかかるように調節されている。
【０００５】
なお、筐体１が外気に触れる状態でＬＮＢが使用される場合に外部から筐体内部へ水分および湿気が侵入することを防止するために、かつ、ビス３を筐体１に対してしっかりと固定するために、筐体１とビス３との隙間にシール材が注入されている。
【特許文献１】特開平７−１０６８１６号公報
【発明の開示】
【発明が解決しようとする課題】
【０００６】
従来のＬＮＢにおいては、ビス３と筐体１との間には確実なアースを取る必要があるため、図１８に示すように、ビス３の雄ネジ部３ｘの一部に樹脂部材７が挿入されている。それにより、雄ネジ部３ｘの樹脂部材７が設けられている側面と反対側の側面が、筐体１の雌ネジ部１ｘに向かって強く押し付けられる。その結果、ビス３と筐体１とのアースを確実に取っている。
【０００７】
さらに、ローカル周波数の調整時にビス３に生じるトルクを適正な値に調節する必要がある。しかしながら、ビス３に生じるトルクは、雄ネジ部３ｘおよび雌ネジ部１ｘのそれぞれの仕上がり寸法のばらつき、ならびに、樹脂部材７の塗布の範囲、位置、および量等の数値に依存する。したがって、前述の数値を厳密に制御する必要がある。
【０００８】
前述の数値は、ロット毎に確認され、その数値が適切でない場合には、その数値が適切になるように、ＬＮＢ製品の改良が行なわれる。前述の数値の確認および改良は、品質を確保するために、ＬＮＢ製品の全てに対して行なわれる。しかしながら、前述の数値の確認および改良のために、ＬＮＢの製造コストが増加している。
【０００９】
また、雌ネジ部１ｘを有する筐体１としては、量産性を考慮して、主に、ダイカスト品が用いられている。しかしながら、ダイカスト品には、その鋳造時にボイドが発生してしまう。ボイドは、雌ネジ部１ｘにも発生する場合がある。そのため、雌ネジ部１ｘにバリまたは欠け等が発生してしまう。バリおよび欠け等は、ビス３の樹脂部材７にひっかかってしまう。そのため、ローカル調整をすることができなかったり、樹脂部材７が雄ネジ部３ｘから剥離したりしてしまう。その結果、ビス３に生じるトルクにばらつきが生じてしまう。さらに、欠けによって生じた異物が筐体１の内部へ脱落してしまうことも考えられる。したがって、周波数が異なるタイプのＬＮＢ毎に、ビス３および樹脂部材７の設置位置を調整する必要がある。
【００１０】
本発明は、上述の問題に鑑みなされたものであり、その目的は、ローカル調整用ビスのがたつきが防止されるとともに、ローカル調整用ビスを用いて周波数を調整するときに生じるトルクを制御することができるローカル周波数調整機能を備えたコンバータを提供することである。
【課題を解決するための手段】
【００１１】
本発明のローカル周波数調整機能を備えたコンバータは、基板と、基板上に設置された共振体と、基板に取り付けられ、基板とともに共振体を遮蔽する筐体とを備えている。また、前述のコンバータは、その雄ネジ部が筐体の雌ネジ部に螺合した状態で、筐体を幅方向に貫通し、その先端と共振体との間の距離の調節が可能なローカル調整用ビスと、筐体とローカル調整用ビスとの間に挿入され、雄ネジ部を雌ネジ部に押し付ける弾性体とを備えている。
【００１２】
上記の構成によれば、弾性体が雄ネジ部を雌ネジ部に押し付けることによって、ローカル調整用ビスのがたつきが防止される。また、弾性体が雄ネジ部を雌ネジ部に押し付ける力を調節することによって、ローカル周波数を調整するときにローカル調整用ビスに生じるトルクを制御することができる。さらに、ローカル調整用ビスが確実に筐体に接触するため、ローカル調整用ビスが電気的に安定する。また、ローカル調整用ビスの雄ネジ部の螺子山の精度のばらつきに起因する不具合の発生が抑制される。
【００１３】
前述の弾性体は、雄ネジ部の一方側の側面を押すことによって雄ネジ部の他方側の側面を雌ネジ部に押し付けるものであることが望ましい。これによれば、ローカル調整用ビスの頭部と筐体の表面との間にワッシャを挿入する構成に比較して、ローカル調整用ビスの頭部を小さくすることができるため、ローカル周波数調整機能を備えたコンバータを小型化することができる。
【００１４】
また、弾性体は、雄ネジ部の一方側の側面の複数の個所を押すことによって雄ネジ部の他方側の側面を雌ネジ部に押し付けるものであることが望ましい。これによれば、弾性体が雄ネジ部の一方側の側面の１個所のみを押すことによって雄ネジ部の他方側の側面を雌ネジ部に押し付ける構成に比較して、より確実にローカル調整用ビスのがたつきを防止することができる。
【００１５】
また、弾性体が線状のバネまたは板状のバネであれば、ローカル周波数調整機能を備えたコンバータの製造が容易になる。また、弾性体が渦巻き状のバネまたはカム状のバネであれば、渦巻き状のバネまたはカム状のバネをローカル調整用ビスに取り付けておくだけで、ローカル調整用ビスの筐体に対する取り付け作業と同時に、筐体とローカル調整用ビスとの間に渦巻き状のバネまたはカム状のバネを挿入することができる。
【００１６】
また、弾性体が外側に突起部を有する異型Ｏリングまたは異型パッキンであれば、筐体とローカル調整ビスとの間の気密性を向上させることが可能になる。なお、Ｏリングまたはパッキンはローカル調整用ビスにアウトサート成型およびインサート成型のいずれによって取り付けられてもよい。
【００１７】
また、異型Ｏリングまたは異型パッキンが導電性材料を含んでいれば、ローカル調整ビスと筐体との間から電波が漏れることを防止することができる。なお、Ｏリングまたは異型パッキンは、汎用性が高いシリコンによって形成されていれば、その硬度等を比較的容易に調整することができるとともに、その温度特性および成型性を向上させることができ、低コストでローカル周波数調整機能を備えたコンバータを製造することができる。
【発明の効果】
【００１８】
以上のように、本発明によれば、ローカル調整ビスのがたつきを防止することができ、かつ、周波数調整用ビスに生じるトルクを制御することができる。
【発明を実施するための最良の形態】
【００１９】
以下、図を参照しながら、本発明の実施の形態のローカル周波数調整機能を備えたコンバータを説明する。
【００２０】
（実施の形態１）
まず、図１〜図６を用いて、本発明の実施の形態１のローカル周波数調整機能を備えたコンバータとしてのＬＮＢを説明する。
【００２１】
図１および図２に示すように、本実施の形態のローカル周波数調整機能を備えたコンバータは、回路基板６と、回路基板６上に設置された共振体２と備えている。回路基板６には筐体１が取り付けられている。筐体１は、回路基板６とともに共振体２を遮蔽するように覆っている。
【００２２】
また、本実施の形態のコンバータは、共振体２におけるローカル周波数を調整するためのビス３を備えている。ビス３は、雄ネジ部３ｘを有している。一方、前述の筐体１は、主板部を幅方向に貫通する雌ネジ部１ｘを有している。雄ネジ部３ｘは、雌ネジ部１ｘに螺合している。ローカル調整用ビス３の螺合状態を調整することによって、ローカル調整用のビス３の先端と共振体２との間の距離Ｄが調節される。
【００２３】
また、筐体１とビス３との間には、弾性体の一例として、製造が容易な板バネ２００が挿入されている。板バネ２００は、断面がＬ字型であり、一方端の近傍部分が小ネジ１００によって筐体１に固定されている。なお、本実施の形態においては、板バネ２００を筐体１に固定するために小ネジ１００を用いているが、板バネ２００は圧入またはカシメ等によって筐体１に固定されてもよい。
【００２４】
板バネ２００は、雄ネジ部３ｘの一方の側面を押している。それにより、雄ネジ部３ｘの他方の側面が雌ネジ部１ｘに押し付けられている。したがって、ビス３のがたつきが防止されている。
【００２５】
また、板バネ２００の形状および設置位置を変更すれば、板バネ２００が雄ネジ部３ｘを雌ネジ部１ｘに押し付ける力を調節することができる。それによって、ローカル周波数を調整するときにビス３に生じるトルクを制御することができる。さらに、ビス３が確実に筐体１に接触するため、ビス３が電気的に安定する。また、ビス３の雄ネジ部３ｘの螺子山の精度のばらつきに起因する不具合の発生が抑制される。
【００２６】
また、板バネ２００は、雄ネジ部３ｘの一方側の側面を押すことによって雄ネジ部３ｘの他方側の側面を雌ネジ部１ｘに押し付けている。そのため、ビス３の頭部と筐体１の表面との間にワッシャを挿入する構成に比較して、ビス３の頭部を小さくすることができる。その結果、ローカル周波数調整機能を備えたコンバータを小型化することができる。
【００２７】
次に、図３および図４を用いて、ビス３を筐体１へ取り付ける方法を具体的に説明する。
【００２８】
筐体１（導電性のフレームまたはシャーシ）には、小型（薄型）化を実現させるために、雌ネジ部１ｘが設けられ、かつ、板状の板バネ２００が嵌り込む空間１ａが設けられている。なお、空間１ａは、筐体１へタップ加工がなされて雌ネジ部１ｘが形成されるときの雌ネジ部１ｘの軸ずれを防止することを考慮すると、図４に示すように、平面視において、雌ネジ部１ｘの中心Ｏを基準として、θ＝６０度の範囲内の領域に設けられていることが望ましい。これによれば、ビス３の固定がより安定する。
【００２９】
また、雌ネジ部１ｘの外側部分における空間１ａ以外の部分が、雌ネジ部１ｘの内側部分と同様に、ネジが切られた内周面を有する円筒形状であれば、雌ネジ部１ｘの軸ずれが防止される。そのため、本実施の形態の雌ネジ部１ｘは、筐体１の内側から外側に向かってタップ加工が施される。
【００３０】
また、筐体１の主表面には、板バネ２００が嵌め込まれる受け座１ｂが設けられている。したがって、板バネ２００は筐体１の主表面から突出することはない。また、筐体１には、受け座１ｂから幅方向に延びるビス穴１ｃが設けている。また、板バネ２００には貫通孔２００ａが設けられている。ビス穴１ｃには、貫通孔２００ａを介して、小ネジ１００が捩じ込まれる。
【００３１】
なお、図３には、板バネの一例として、Ｌ字型の板バネ２００が示されているが、板バネ２００の形状は、雄ネジ部３ｘの一方の側面を押して、雄ネジ部３ｘの他方の側面を雌ネジ部１ｘに適切な力で押し付けることができれば、図５または図６に示すように、Ｌ字の先端部分がＵ字型部を有していてもよい。これによれば、より大きな力で、雄ネジ部３ｘの他方の側面を雌ネジ部１ｘに押し付けることができる。また、板バネ２００は、加工性および汎用性を考慮すると、ステンレスまたはリン青銅等かならなることが望ましい。なお、通常、板バネ２００の形状で雄ネジ部３ｘが雌ネジ部１ｘを押す力を調整するが、板バネ２００の材質または厚み等を変化させても、雄ネジ部３ｘが雌ネジ部１ｘを押す力を多少調整することは可能である。
【００３２】
（実施の形態２）
次に、図７および図８を用いて、本発明の実施の形態２のローカル周波数調整機能を備えたコンバータとしてのＬＮＢを説明する。
【００３３】
本実施の形態のＬＮＢの構造は、図１および図２に示す実施の形態１のＬＮＢの構造とほぼ同様であるため、以下において、本実施の形態のＬＮＢの構造と実施の形態１のＬＮＢの構造との相違点が主に説明される。
【００３４】
本実施の形態のＬＮＢにおいては、図７に示すように、板バネ２００が平面視においてＹ型になっている。また、図８に示すように、筐体１（導電性のフレームまたはシャーシ）には、実施の形態１と同様に、空間１ａ、受け座１ｂ、およびビス穴１ｃが設けられている。空間１ａおよび受け座１ｂは、図７に示す板バネ２００に対応する形状を有し、空間１ａおよび受け座１ｂに前述の平面視においてＹ型の板バネ２００が嵌め込まれている。空間１ａにおいて、板バネ２００の先端部が、図３に示すＬ字型の板バネ２００と同様に、ビス３の軸方向に延びている。また、板バネ２００の２つの先端部は、２つの空間１ａに挿入されている。したがって、本実施の形態においては、Ｙ字型の２つの先端部のそれぞれが、雄ネジ部３ｘを押している。つまり、本実施の形態の板バネ２００は、ビス３の雄ネジ部３ｘの一方側の側面の２箇所を押している。これによれば、ビス３は、平面視において、３個所で支持されている。
【００３５】
一方、前述の実施の形態１のＬＮＢにおいては、断面がＬ字型の板バネ２００が雄ネジ部３ｘの一方側の側面の１個所のみを押すことによって雄ネジ部３ｘの他方側の側面を雌ネジ部１ｘに押し付けている。すなわち、ビス３は、平面視において、２箇所で支持されている。
【００３６】
したがって、本実施の形態の板バネ２００によれば、実施の形態１の板バネ２００に比較して、より確実にビス３のがたつきを防止することができる。なお、図７に示す板バネ２００がビス３を押す２つの力の方向がなす角度θは、９０度〜１２０度の範囲内にあることが望ましい。これによれば、ビス３の固定がより安定する。
【００３７】
（実施の形態３）
次に、図９および図１０を用いて、本発明の実施の形態３のローカル周波数調整機能を備えたコンバータとしてのＬＮＢを説明する。
【００３８】
本実施の形態のＬＮＢの構造は、図１および図２に示す実施の形態１のＬＮＢの構造とほぼ同様であるため、以下において、本実施の形態のＬＮＢの構造と実施の形態１のＬＮＢの構造との相違点が主に説明される。
【００３９】
本実施の形態においては、実施の形態１および２とは異なり、雄ネジ部３ｘを雌ネジ部１ｘに対して押し付けるために、線状のバネ２００が用いられている。ただし、線状のバネが用いられても、板バネが用いられるときと同様に、ローカル周波数調整機能を備えたコンバータの製造が容易になっている。図９には、ビス３を一点で押す形状の線状のバネ２００が示されている。これによれば、実施の形態１の断面がＬ字型の板バネ２００によって得られる効果とほぼ同様の効果を得ることができる。
【００４０】
一方、図１０には、ビス３を２点で押す形状の線状のバネ２００が示されている。これによれば、実施の形態２の断面がＬ字型の板バネ２００によって得られる効果とほぼ同様の効果を得ることができる。なお、より確実にビス３のがたつきを防止するためには、図１０に示す線状のバネ２００がビス３を押す２つの力の方向がなす角度θは、９０度〜１２０度の範囲内にあることが望ましい。図９および図１０に示す線状のバネ２００は、いずれも、筐体１に設けられ、線状のバネ２００に対応する形状の凹部に嵌め込まれ、摩擦力によって固定されている。
【００４１】
（実施の形態４）
次に、図１１〜図１３を用いて、本発明の実施の形態４のローカル周波数調整機能を備えたコンバータとしてのＬＮＢを説明する。
【００４２】
本実施の形態のＬＮＢの構造は、図１および図２に示す実施の形態１のＬＮＢの構造とほぼ同様であるため、以下において、本実施の形態のＬＮＢの構造と実施の形態１のＬＮＢの構造との相違点が主に説明される。
【００４３】
本実施の形態においては、図１１および図１２に示すように、板バネ２００または線状のバネ２００の代わりに、外側に突起部３００ａを有する異型Ｏリングまたは異型パッキン３００が用いられている。異型Ｏリングまたは異型パッキン３００は、平面視において、ビス３の外周面に沿って円状に形成された溝３ｙ内に嵌め込まれている。したがって、ビス３に異型Ｏリングまたは異型パッキン３００が取り付けられた状態で、雄ネジ部３ｘが雌ネジ部１ｘに捩じ込まれれば、異型Ｏリングまたは異型パッキン３００は筐体１の雌ネジ部１ｘに連続して延びるホール１ｙの内側面に強制的に押し付けられる。
【００４４】
なお、異型Ｏリングまたは異型パッキン３００はローカル調整用ビスにアウトサート成型およびインサート成型のいずれによって取り付けられてもよい。
【００４５】
上記の構造によれば、突起部３００ａが異型Ｏリングまたは異型パッキン３００の外側に設けられているため、突起部３００ａがホール１ｙの内周面によって押され、突起部３００とは反対側のビス３の雄ネジ部３ｘの側面が雌ネジ部１ｘに押し付けられる。これにより、実施の形態１のＬ字型の板バネ２００によって得られる効果とほぼ同様の効果を得ることができる。
【００４６】
さらに、ホール１ｙの内周面とビス３の外周面との間の隙間を異型Ｏリングまたは異型パッキン３００が塞ぐため、筐体１とビス３との間の気密性を向上させることが可能になっている。したがって、外気に直接触れる状態で筐体１が設置される場合には、筐体１の外部から内部へ水分および湿気が侵入することを防止することができる。
【００４７】
また、図１３に示すように、異型Ｏリングまたは異型パッキン３００の外側面に突起部３００ｂが２箇所設けられていれば、実施の形態２において説明したように、ビス３が２つの突起部３００ｂと雌ネジ部１ｘとの３点で支持されるため、ビス３のがたつきがより確実に防止される。
【００４８】
さらに、本実施の形態においては、異型Ｏリングまたは異型パッキン３００が導電性材料、たとえば、金属粒子を含んでいる。そのため、ビス３と筐体１との間からの電波の漏れが防止されている。なお、Ｏリングまたは異型パッキン３００は、汎用性が高いシリコンによって形成されていれば、その硬度等を比較的容易に調整することができるとともに、その温度特性および成型性を向上させることができ、かつ、低コストでローカル周波数調整機能を備えたコンバータを製造することができる。
【００４９】
（実施の形態５）
図１４および図１５を用いて、本発明の実施の形態５のローカル周波数調整機能を備えたコンバータとしてのＬＮＢを説明する。
【００５０】
本実施の形態のＬＮＢの構造は、図１１に示す実施の形態４のＬＮＢの構造とほぼ同様であるため、以下において、本実施の形態のＬＮＢの構造と図１１に示す実施の形態４のＬＮＢの構造との相違点が主に説明される。
【００５１】
本実施の形態においては、ビス３に渦巻き状のバネ２００が取り付けられている。渦巻き状のバネ２００は、ビス３の外周に設けられ、平面視において円形の溝３ｙに嵌めこまれている。このような渦巻き状のバネ２００によって、ビス３の雄ネジ部３ｘを筐体１の雌ネジ部１ｘに押し付けることによって、ビス３のがたつきを防止することができる。このような渦巻き状のバネ２００は、溝３ｙに容易に嵌め込むことができるため、ＬＮＢのアッセンブリが容易になる。
【００５２】
（実施の形態６）
図１６および図１７を用いて、本発明の実施の形態６のローカル周波数調整機能を備えたコンバータとしてのＬＮＢを説明する。
【００５３】
本実施の形態のＬＮＢの構造は、図１１に示す実施の形態４のＬＮＢの構造とほぼ同様であるため、以下において、本実施の形態のＬＮＢの構造と図１１に示す実施の形態４のＬＮＢの構造との相違点が主に説明される。
【００５４】
本実施の形態においては、ビス３に偏心カム状の板バネ２００が取り付けられている。偏心カム状の板バネ２００は、ビス３の外周に設けられ、平面視において円形の溝３ｙに強制的に嵌め込まれている。このよう偏心カム状のバネ２００によっても、ビス３の雄ネジ部３ｘを筐体１の雌ネジ部１ｘに押し付けることによって、ビス３のがたつきを防止することができる。このような偏心カム状のバネ２００は、溝３ｙに容易に嵌め込むことができるため、ＬＮＢのアッセンブリが容易になる。
【００５５】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５６】
【図１】実施の形態１のＬＮＢの断面図である。
【図２】実施の形態１のＬＮＢの上面図である。
【図３】実施の形態１の筐体、ビス、板バネ、および小ネジの断面図である。
【図４】実施の形態１の筐体の上面図である。
【図５】実施の形態１の変形例の板バネの断面図である。
【図６】実施の形態１の変形例の板バネの断面図である。
【図７】実施の形態２のＬＮＢの上面図である。
【図８】実施の形態２の筐体の上面図である。
【図９】実施の形態３のＬＮＢの上面図である。
【図１０】実施の形態３の変形例のＬＮＢの上面図である。
【図１１】実施の形態４のＬＮＢの断面図である。
【図１２】実施の形態４のビスおよび異型Ｏリングまたは異型パッキンの上面図である。
【図１３】実施の形態４の変形例のビスおよび異型Ｏリングまたは異型パッキンの上面図である。
【図１４】実施の形態５のビスおよび渦巻き状のバネの側面図である。
【図１５】実施の形態５のビスおよび渦巻き状のバネの上面図である。
【図１６】実施の形態６のビスおよび偏心カム状のバネの側面図である。
【図１７】実施の形態６のビスおよび偏心カム状のバネの上面図である。
【図１８】従来のＬＮＢの断面図である。
【符号の説明】
【００５７】
１  筐体、２  共振体、３  ビス、２００  バネ、５  小ネジ、６  回路基板、７  樹脂、１ａ  空間、１ｂ  受け座、１ｃ  ビス穴。
【図１】
2008060972.tif 000003
【図２】
2008060972.tif 000004
【図３】
2008060972.tif 000005
【図４】
2008060972.tif 000006
【図５】
2008060972.tif 000007
【図６】
2008060972.tif 000008
【図７】
2008060972.tif 000009
【図８】
2008060972.tif 000010
【図９】
2008060972.tif 000011
【図１０】
2008060972.tif 000012
【図１１】
2008060972.tif 000013
【図１２】
2008060972.tif 000014
【図１３】
2008060972.tif 000015
【図１４】
2008060972.tif 000016
【図１５】
2008060972.tif 000017
【図１６】
2008060972.tif 000018
【図１７】
2008060972.tif 000019
【図１８】
2008060972.tif 000020